(57)【要約】【課題】屋内側に水がより進入しにくい水切り構造を提供する。【解決手段】外壁を構成する複数の壁部材と、前記壁部材とともに設けられる枠体と、前記複数の壁部材のうちの前記枠体の上に位置する前記壁部材が載置される載置部材と、前記載置部材と当該載置部材に載置されている載置壁部材との間に介在され、前記載置壁部材の屋内側に進入した水を屋外側に案内する水切り部材と、を有し、前記水切り部材は、前記載置壁部材の屋内側の面と対向する屋内対向部と、前記屋内対向部と繋がって前記載置壁部材と前記載置部材との間に介在される壁部材載置部と、前記屋内対向部の水平方向における両端部に設けられ、前記載置壁部材と水平方向に隣接する隣接壁部材の屋内側の面と対向する水切り対向部を有し、前記隣接壁部材の屋内側の面と前記水切り対向部との間にシーリング材が介在されている。【選択図】図６
2019203248.tif 000002
【特許請求の範囲】
【請求項１】
外壁を構成する複数の壁部材と、
前記壁部材とともに設けられる枠体と、
前記複数の壁部材のうちの前記枠体の上に位置する前記壁部材が載置される載置部材と、
前記載置部材と当該載置部材に載置されている載置壁部材との間に介在され、前記載置壁部材の屋内側に進入した水を屋外側に案内する水切り部材と、
を有し、
前記水切り部材は、前記載置壁部材の屋内側の面と対向する屋内対向部と、
前記屋内対向部と繋がって前記載置壁部材と前記載置部材との間に介在される壁部材載置部と、
前記屋内対向部の水平方向における両端部に設けられ、前記載置壁部材と水平方向に隣接する隣接壁部材の屋内側の面と対向する水切り対向部を有し、
前記隣接壁部材の屋内側の面と前記水切り対向部との間にシーリング材が介在されていることを特徴とする水切り構造。
【請求項２】
請求項１に記載の水切り構造であって、
前記水切り部材は、前記壁部材載置部の屋外側の縁から下方に延出され、前記枠体の外周面上に配置される垂板部を有し、
前記枠体の上側の外周面には、一次止水面をなすシーリング材と二次止水面をなすシーリング材とが屋内外方向に間隔を隔てて設けられており、
前記垂板部は、屋内外方向において前記一次止水面と前記二次止水面との間に位置していることを特徴とする水切り構造。
【請求項３】
請求項２に記載の水切り構造であって、
前記枠体の左右の外周面には、一次止水面をなすシーリング材と二次止水面をなすシーリング材とが屋内外方向に間隔を隔てて設けられており、
前記上側の前記外周面の前記一次止水面をなす前記シーリング材と、前記左右の前記外周面の前記一次止水面をなす前記シーリング材とは繋がっており、
前記上側の前記外周面の前記二次止水面をなす前記シーリング材と、前記左右の前記外周面の前記二次止水面をなす前記シーリング材とは繋がっていることを特徴とする水切り構造。
【発明の詳細な説明】
【技術分野】
【０００１】
本発明は、複数の壁部材が並べて配置されて形成される壁に用いられる水切り構造に関する。
【背景技術】
【０００２】
複数の壁部材が並べて配置されて形成される壁に用いられる水切り構造としては、例えば、壁部材としての中空押出成形セメント板が並べられて形成された外壁において、上下に位置する押出成形セメント板間に水切り板を備えた水切り構造が知られている（例えば、特許文献１参照）。この水切り構造では、押出成形セメント板の屋内側に進入した水を、上下に位置する押出成形セメント板間に配設された水切り板で受けて、下側の押出成形セメント板の中空部に流し込むようにしている。
【先行技術文献】
【特許文献】
【０００３】
【特許文献１】特開２００３−３４３０２３号公報
【発明の概要】
【発明が解決しようとする課題】
【０００４】
上記のような水切り構造は、水切り板が押出成形セメント板と対向する部位では、屋内側に進入した水を水切り板で受けて下側の押出成形セメント板の中空部に流し込むものの、横方向に互いに隣り合う押出成形セメント板との間においては水切り板が設けられていないため止水性能が低いという課題がある。
本発明は、このような事情に鑑みてなされたものであり、屋内側に水がより進入しにくい水切り構造を提供することを目的とする。
【課題を解決するための手段】
【０００５】
かかる目的を達成するために本発明の水切り構造は、
外壁を構成する複数の壁部材と、
前記壁部材とともに設けられる枠体と、
前記複数の壁部材のうちの前記枠体の上に位置する前記壁部材が載置される載置部材と、
前記載置部材と当該載置部材に載置されている載置壁部材との間に介在され、前記載置壁部材の屋内側に進入した水を屋外側に案内する水切り部材と、
を有し、
前記水切り部材は、前記載置壁部材の屋内側の面と対向する屋内対向部と、
前記屋内対向部と繋がって前記載置壁部材と前記載置部材との間に介在される壁部材載置部と、
前記屋内対向部の水平方向における両端部に設けられ、前記載置壁部材と水平方向に隣接する隣接壁部材の屋内側の面と対向する水切り対向部を有し、
前記隣接壁部材の屋内側の面と前記水切り対向部との間にシーリング材が介在されていることを特徴とする水切り構造である。
【０００６】
このような水切り構造によれば、載置壁部材と載置部材との間に設けられる水切り部材は、載置壁部材と水平方向に隣接する隣接壁部材と屋内側にて対面する水切り対向部を有しているので、水切り対向部と隣接壁部材との間により確実にシーリング材を介在させることが可能である。
【０００７】
載置壁部材の屋内側の面と対向する屋内対向部が、隣接壁部材の屋内側の面と対向する水切り対向部を有し、隣接壁部材の屋内側の面と対向する水切り対向部と隣接壁部材の屋内側の面との間にシーリング材が介在されているので、水切り部材上に至った水が屋内対向部と載置壁部材との間から横方向に漏れることを防止することが可能である。このため、水切り部材上に至った水が屋内側に漏れ難い。このため、屋内側に水がより進入しにくい水切り構造を提供することが可能である。
【０００８】
かかる水切り構造であって、
前記水切り部材は、前記壁部材載置部の屋外側の縁から下方に延出され、前記枠体の外周面上に配置される垂板部を有し、
前記枠体の上側の外周面には、一次止水面をなすシーリング材と二次止水面をなすシーリング材とが屋内外方向に間隔を隔てて設けられており、
前記垂板部は、屋内外方向において前記一次止水面と前記二次止水面との間に位置していることを特徴とする。
【０００９】
このような水切り構造によれば、水切り部材の垂壁部が、枠体の上側の外周面の、屋内外方向において一次止水面と二次止水面との間に位置しているので、載置壁部材の屋内側に進入した水を、枠体の上側の外周面に滴らせることが可能である。また、枠体の上側の外周面には、一次止水面をなすシーリング材と二次止水面をなすシーリング材とが屋内外方向に間隔を隔てて設けられているので、枠体の上側の外周面に至った水が、屋内側及び屋外側に流れることを防止することが可能である。
【００１０】
かかる水切り構造であって、
前記枠体の左右の外周面には、一次止水面をなすシーリング材と二次止水面をなすシーリング材とが屋内外方向に間隔を隔てて設けられており、
前記上側の前記外周面の前記一次止水面をなす前記シーリング材と、前記左右の前記外周面の前記一次止水面をなす前記シーリング材とは繋がっており、
前記上側の前記外周面の前記二次止水面をなす前記シーリング材と、前記左右の前記外周面の前記二次止水面をなす前記シーリング材とは繋がっていることを特徴とする。
【００１１】
このような水切り構造によれば、上側の外周面の一次止水面をなすシーリング材と、左右の外周面の一次止水面をなすシーリング材とは繋がっており、上側の外周面の二次止水面をなすシーリング材と、左右の外周面の二次止水面をなすシーリング材とは繋がっているので、枠体の上側の外周面から枠体の左右の外周面に繋がったシーリング材により、枠体の上面から左右の側面に繋がった一次シール面と二次シール面とが形成される。このため、枠体の上側の外周面に至った水を側方に流して枠体の側方にて下方に流して排出することが可能である。
【発明の効果】
【００１２】
本発明によれば、屋内側に水がより進入しにくい水切り構造を提供することが可能である。
【図面の簡単な説明】
【００１３】
【図１】本実施形態に係る水切り構造が適用された外壁の一例を示す外観図である。
【図２】図１におけるＡ−Ａ断面図である。
【図３】図１におけるＢ−Ｂ断面図である。
【図４】水切り部材を示す斜視図である。
【図５】図１におけるＣ−Ｃ断面図である。
【図６】枠体の上に配置される押出成形セメント板が載置される部位を説明する図をである。
【図７】水切り部材の周辺を止水する手順を示す図である。
【図８】図７（ａ）を下側から見た斜視図である。
【図９】図７（ｂ）を下側から見た斜視図である。
【発明を実施するための形態】
【００１４】
以下、本発明の水切り構造を図を用いて説明する。
図１に示すように、本実施形態の水切り構造を備える外壁は、例えば、複数の壁部材としての押出成形セメント板１が面内方向において鉛直方向及び水平方向に並べて配置されている外壁の一部に、サッシ２が設けられている。
【００１５】
以下の説明においては、屋外から建物を見たときに、上下となる方向を上下方向、左右となる方向を左右方向、壁の厚み方向となる奥行き方向を屋内外方向として示す。建物の各部位であっても、また、建物を構成する各部材については単体の状態であっても、建物が建っている状態にて上下方向、左右方向、屋内外方向となる方向にて方向を特定して説明する。
【００１６】
外壁を構成する押出成形セメント板１は、図２に示すように、屋内外方向に互いに間隔を隔てて対面する外板部１０及び内板部１１と、外板部１０と内板部１１とを連結する複数の連結部１２と、が一体に形成されている。連結部１２は、押出方向に沿って設けられており、隣り合う連結部１２間は中空部１ａをなしている。本実施形態の押出成形セメント板１は、押出方向が上下方向に向けられており、中空部１ａは上下方向に貫通している。
【００１７】
押出成形セメント板１の左右の端部のうちの一方には、面内方向において外側に突出する側面突出部１ｂが設けられており、他方には、面内方向において内側に窪む側面凹部１ｃをなしている。より具体的には、押出成形セメント板１の左側の端部は、外板部１０の端部と内板部１１の端部とが連結部１２により連結されており、連結部１２の厚み方向における中央に位置させて側面突出部１ｂが突出させて設けられている。このため、外板部１０の左側の端面１０ａは、押出成形セメント板１における側面突出部１ｂよりも屋外側の側面の一部をなし、内板部１１の左側の端面１１ａは、押出成形セメント板１における側面突出部１ｂよりも屋内側の側面の一部をなしている。
【００１８】
押出成形セメント板１の右側の端部は、最も右側に位置する連結部１２より右側に外板部１０と内板部１１とが張り出すように形成されており、張り出している外板部１０及び内板部１１と、最も右に位置する連結部１２とにより側面凹部１ｃが形成されている。
【００１９】
本実施形態の建物の壁は、階高とほぼ同じ高さを有する押出成形セメント板１が上下方向及び左右方向に並べて配置されている。左右に隣り合う２つの押出成形セメント板１のうちの右側に位置する押出成形セメント板１の側面突出部１ｂが、左に位置する押出成形セメント板１の側面凹部１ｃに挿入されるように配置されている。
【００２０】
上下及び左右に隣接する各押出成形セメント板１間には、図２に示すように、隣接する押出成形セメント板１の互いに対面する外板部１０の端面１０ａ間に、不定形材料でなるシーリング材８ａが介在されて一次止水面Ｓ１をなす目地が形成されている。隣接する押出成形セメント板１の互いに対面する内板部１１の端面１１ａ間には所定形状に成形された軟質樹脂製のガスケット９が介在されて二次止水面Ｓ２をなしている。
【００２１】
一次止水面Ｓ１をなすシーリング材８ａは、押出成形セメント板１の内側に設けられ合成樹脂製のスポンジ等でなるバックアップ部材２０の屋外側に充填されている。バックアップ部材２０は、押出成形セメント板１の左右の端部にて側面凹部１ｃと、側面凹部１ｃに入り込む側面突出部１ｂとにより保持されている。
【００２２】
本実施形態の建物の壁は、図１に示すように、左右方向に隣り合う２枚の押出成形セメント板１の、上下方向における中間部分が切除されてＦＩＸ窓用のサッシ２が設けられている。ＦＩＸ窓用のサッシ２は、例えばガラス２ａと、ガラス２ａの周端部を収容する枠体２ｂと、を有している。枠体２ｂは、合成樹脂製の押出成形部材が接合されて形成されている。合成樹脂製の枠体を、アルミニウム製の枠体と同形状で形成すると剛性が低くなるため、合成樹脂製の場合には、例えば、押出方向に沿う中空部を形成するなどして剛性が高められている。このため、合成樹脂製の枠体は、アルミニウム製の枠体と比較して屋内外方向の幅が広く形成されている。ここで、壁に設けられるサッシは、ＦＩＸ窓用のサッシに限らない。
【００２３】
枠体２ｂは、矩形状に枠組みされており、外周部２ｃは平坦な外周面２ｄをなしている。枠体２ｂは、図３、図５に示すように、押出成形セメント板１に囲まれて配置された際には、外周部２ｃにおける屋外側の縁部が外板部１０よりも屋外側に突出しており、外周部２ｃにおける屋内側の縁部が内板部１１よりも屋内側に突出している。すなわち、サッシ２が有する枠体２ｂの屋内外方向における幅Ｗは、押出成形セメント板１の厚みｔよりも広く形成されている。このため、枠体２ｂの外周面２ｄは、枠体２ｂの全周において隣接する押出成形セメント板１の外板部１０及び内板部１１の端面１０ａ、１１ａと、互いに間隔を隔てて対面している。また、枠体２ｂと左右方向に隣接する押出成形セメント板１であって、枠体２ｂ側に突出している側面突出部１ｂは、枠体２ｂの外周面２ｄと対向する部位においては切除されている。ここで、枠体２ｂの外周面２ｄは平坦でなくとも、外板部１０及び内板部１１の端面１０ａ、１１ａと対面する部位を有していれば構わない。
【００２４】
枠体２ｂの上に位置する押出成形セメント板１と枠体２ｂとの間の接合部近傍には、建物の躯体と繋がっている支持アングル部材４が設けられており、枠体２ｂの上に位置する押出成形セメント板１は、図３に示すように、下端部側に固定されている固定部材５が支持アングル部材４と係合することにより倒れないように構成されている。
【００２５】
支持アングル部材４は、断面がＬ字状をなす２つの板部４ａ、４ｂ、すなわち、水平な面をなし梁に固定されている第一板部４ａと、第一板部４ａの屋外側の縁から延出されて鉛直な面をなす第二板部４ｂとを有している。
【００２６】
押出成形セメント板１の下端部側に固定されている固定部材５は、段差を有するように屈曲された板状の部材である。固定部材５は、押出成形セメント板１の屋内側の面における下端側に固定され、支持アングル部材４の第二板部４ｂと係合することによって倒れないように保持されている。
【００２７】
また、枠体２ｂの上に位置する押出成形セメント板１は、下端部が支持アングル部材４に固定された載置部材としての載置アングル部材６に、水切り部材７を介して載置されている。載置アングル部材６も、支持アングル部材４と同様に、Ｌ字状をなす２つの板部６ａ、６ｂを有しており、支持アングル部材４の第二板部４ｂの屋外側に当接されて接合される縦板部６ａと、縦板部６ａの下端から屋外側に向かって水平に延出された横板部６ｂとを有している。
【００２８】
枠体２ｂの上に位置する押出成形セメント板１は、横板部６ｂ上に水切り部材７を介して載置される。ここで、枠体２ｂの上に位置して、載置アングル部材６上に水切り部材７を介して載置される押出成形セメント板１は載置壁部材に相当し、以下の説明においては、載置押出成形セメント板１００ともいう。本実施形態においては、載置押出成形セメント板１００と左右に隣接する押出成形セメント板１と枠体２ｂの左右に隣接する押出成形セメント板１とは同一の押出成形セメント板１であり、隣接壁部材に相当する。
【００２９】
以下の説明においては、載置押出成形セメント板１００及び枠体２ｂと左右に隣接する押出成形セメント板１を隣接押出成形セメント板１０１ともいう。本実施形態においては、図１に示すように、枠体２ｂの上に位置する載置押出成形セメント板１００が２枚である例について説明するが、載置押出成形セメント板の数は、１枚であっても、また、３枚以上であっても構わない。
【００３０】
水切り部材７は、図３、図４に示すように、縦板部６ａの屋外側の面と対面して当接される縦対面部７ａと、縦対面部７ａと繋がり横板部６ｂの上面と対面して当接される横対面部７ｂと、横対面部７ｂの屋外側の縁から下方に垂れるように設けられた垂板部７ｃとを有している。縦対面部７ａは、横対面部７ｂよりも左右方向に長く延出された水切り対向部７ｄを有している。また、垂板部７ｃは、横板部６ｂ上に載置された横対面部７ｂの上に上側の押出成形セメント板１の下端が載置された状態で、横板部６ｂよりも屋外側に位置している。ここで、縦対面部７ａが、載置押出成形セメント板１００の屋内側の面と対向する屋内対向部に相当し、横対面部７ｂが、載置押出成形セメント板１００と載置アングル部材６との間に介在される壁部材載置部に相当する。本実施形態においては、水切り部材７が一部材で構成されている例を挙げて説明しているが、これに限らず、例えば、水切り部材が２つ以上の部材を有し、それらの連結部がブチルテープ等により止水されている構成であっても構わない。
【００３１】
図３に示すように、枠体２ｂの下に位置する押出成形セメント板１と枠体２ｂとの間の接合部近傍にも、建物の躯体と繋がっている支持アングル部材４が設けられている。枠体２ｂの下端近傍に設けられている支持アングル部材４は、枠体２ｂの上端近傍に設けられている支持アングル部材４とは上下の向きを反転させて設けられている。このため、枠体２ｂの上端近傍及び下端近傍に設けられている２つの支持アングル部材４は、第一板部４ａが互いに上下に間隔を隔てて対向している。
【００３２】
枠体２ｂの上端近傍に位置する支持アングル部材４は、第一板部４ａの屋外側の縁から上方に第二板部４ｂが延出しており、枠体２ｂの下端近傍に位置する支持アングル部材４は、第一板部４ａの屋外側の縁から下方に第二板部４ｂが延出している。枠体２ｂの上下の端部近傍に設けられている２つの支持アングル部材４の対向する第一板部４ａ間には、左右方向の端部に支持アングル部材４が、長手方向を上下方向に沿わせて設けられている。図５に示すように、上下方向に沿わせて設けられている支持アングル部材４は、第一板部４ａが互いに左右に間隔を隔てて対向している。
【００３３】
枠体２ｂの左端近傍に位置する支持アングル部材４は、第一板部４ａの屋外側の縁から左側に第二板部４ｂが延出しており、右端近傍に位置する支持アングル部材４は、第一板部４ａの屋外側の縁から右側に第二板部４ｂが延出している。そして、４つの支持アングル部材４は矩形状に接合されており、矩形状に接合された４つの支持アングル部材４の第一板部４ａの内側に枠体２ｂが配置される。
【００３４】
図３、図５に示すように、４つの支持アングル部材４の内側に配置された枠体２ｂは、枠体２ｂの外周面２ｄと第一板部４ａとが対面しており、枠体２ｂの外周面２ｄと第一板部４ａとの間を連結する枠体連結部材２１により枠体２ｂが固定されている。
【００３５】
枠体２ｂの外周部２ｃと、当該枠体２ｂの四方にて対向する押出成形セメント板１との間には、不定形材料でなるシーリング材８ａ、８ｂが介在されている。より具体的には、枠体２ｂの四周の外周面２ｄと、当該枠体２ｂの四方に位置する押出成形セメント板１の外板部１０の端面１０ａとの間には、押出成形セメント板１の厚み方向における奥側にバックアップ部材２０が設けられており、バックアップ部材２０の屋外側にシーリング材８ａが充填されて一次止水面Ｓ１となしている。一次止水面Ｓ１は、外壁において押出成形セメント板１同士が隣接する部位に充填されているシーリング材８ａと、枠体２ｂと押出成形セメント板１の外板部１０の端面１０ａとが隣接する部位に充填されているシーリング材８ａとが切れ目なく連続させて設けられている。
【００３６】
枠体２ｂの下側の外周面２ｄ及び左右の外周面２ｄと、当該枠体２ｂの下及び左右に位置する押出成形セメント板１の内板部１１の端面１１ａとの間には、押出成形セメント板１の厚み方向における奥側にバックアップ部材２０が設けられており、バックアップ部材２０の屋内側にシーリング材８ｂが充填されて二次止水面Ｓ２をなしている。
【００３７】
枠体２ｂの左右の外周面２ｄと、枠体２ｂの左右に位置する隣接押出成形セメント板１０１の内板部１１の端面１１ａとの間に介在されたシーリング材８ｂと、このシーリング材８ｂの上下に位置して、載置押出成形セメント板１００と隣接押出成形セメント板１０１の内板部１１同士間に介在されたガスケット９とは切れ目なく連続させて設けられている。また、枠体２ｂの左右の外周面２ｄと、枠体２ｂの左右に位置する隣接押出成形セメント板１０１の内板部１１の端面１１ａとの間に介在されたシーリング材８ｂは、枠体２ｂの下に位置する押出成形セメント板１の内板部１１の端面１１ａとの間に介在されたシーリング材８ｂとも切れ目なく連続させて設けられている。
【００３８】
枠体２ｂの左右の外周面２ｄには、左右の隣接押出成形セメント板１０１の外板部１０の端面１０ａとの間に形成された一次止水面Ｓ１をなすシーリング材８ａと、隣接押出成形セメント板１０１の内板部１１の端面１１ａとの間に形成された二次止水面Ｓ２をなすシーリング材８ｂとが上下方向に沿って設けられている。枠体２ｂの左右の外周面２ｄにて一次止水面Ｓ１をなすシーリング材８ａの屋内側に設けられたバックアップ部材２０と、二次止水面Ｓ２をなすシーリング材８ｂの屋外側に設けられたバックアップ部材２０とは、屋内外方向に間隔が隔てられて、それらのバックアップ部材２０の間に空隙Ｒが形成されている。
【００３９】
枠体２ｂの上側の外周面２ｄと、載置押出成形セメント板１００との間に入り込んでいる載置アングル部材６における横板部６ｂの下面との間にも、押出成形セメント板１の厚み方向における奥側にバックアップ部材２０が設けられており、バックアップ部材２０の屋内側にシーリング材８ｂが充填されており、二次止水面Ｓ２となしている。横板部６ｂの下面と枠体２ｂの上面との間に介在されているシーリング材８ｂは、屋内外方向において、載置押出成形セメント板１００の内板部１１の端面１１ａと同じ位置に設けられている。
【００４０】
また、枠体２ｂの上に位置する載置アングル部材６に水切り部材７を介して載置されている載置押出成形セメント板１００は、水切り部材７の縦対面部７ａと屋内側の面が対面している。また、図６に示すように、水切り部材７の縦対面部７ａにおいて水平方向の両側に設けられている水切り対向部７ｄは、載置押出成形セメント板１００の左右に隣接する隣接押出成形セメント板１０１の屋内側の面と対面している。水切り対向部７ｄと隣接押出成形セメント板１０１の屋内側の面との間にもシーリング材８ｃが充填されている。また、水切り部材７が載置されている載置アングル部材６の側端面６ｃと内板部１１の端面１１ａとの間にもシーリング材８ｄが充填されている。そして、水切り対向部７ｄと隣接押出成形セメント板１０１の屋内側の面との間のシーリング材８ｃ、載置アングル部材６の側端面６ｃと内板部１１の端面１１ａとの間のシーリング材８ｄ、及び、枠体２ｂの上にて左右に位置する隣接押出成形セメント板１０１の間に介在されたガスケット９とが、切れ目なく連続させて設けられている。
【００４１】
また、図２、図７（ｄ）に示すように、水切り部材７の縦対面部７ａと、この水切り部材７上の載置押出成形セメント板１００の内板部１１との間には、左右の水切り対向部７ｄと内板部１１の端面１１ａとの間に介在されたシーリング材８ｃと連続するようにガスケット９０が介在されている。
【００４２】
図３に示すように、枠体２ｂの上の外周面２ｄには、載置押出成形セメント板１００の外板部１０の端面１０ａとの間に形成された一次止水面Ｓ１をなすシーリング材８ａと、載置アングル部材６における横板部６ｂの下面との間に形成された二次止水面Ｓ２をなすシーリング材８ｂとが左右方向に沿って設けられている。枠体２ｂの上の外周面２ｄにて一次止水面Ｓ１をなすシーリング材８ａの屋内側に設けられたバックアップ部材２０と、二次止水面Ｓ２をなすシーリング材８ｂの屋外側に設けられたバックアップ部材２０とは、屋内外方向に間隔が隔てられて、それらのバックアップ部材２０の間に空隙Ｒが形成されている。枠体２ｂの上の外周面２ｄ上に設けられた空隙Ｒと、枠体２ｂの左右の外周面２ｄ側に設けられた空隙Ｒとは連通している。また、枠体２ｂの上の外周面２ｄ上に設けられた空隙Ｒの上方に水切り部材７の垂板部７ｃが位置している。
【００４３】
水切り部材７の垂板部７ｃから滴る水は、枠体２ｂの上側の外周面のバックアップ部材２０の間に形成されている空隙Ｒにて上側の外周面２ｄを伝って、枠体２ｂの左右の外周面２ｄのバックアップ部材２０の間に形成されている空隙Ｒに至り、一次止水面Ｓ１と二次止水面Ｓ２との間に進入した水は、下層への流れ落ちた後、最終的には屋外に排出される。
【００４４】
枠体２ｂの上部に配置される水切り部材７の縦対面部７ａにおいて、載置押出成形セメント板１００の左右に隣接する隣接押出成形セメント板１０１における内板部１１の屋内側の面と、屋内外方向に間隔を隔てて対向している水切り対向部７ｄとの間にシーリング材８ｃを充填する水切り構造の施工方法について説明する。
【００４５】
枠体２ｂの上部に配置される水切り部材７上の載置押出成形セメント板１００の、左右に隣接する隣接押出成形セメント板１０１が配置されている状態で、隣接押出成形セメント板１０１の間に、支持アングル部材４と支持アングル部材４に固定された載置アングル部材６とが位置している。
【００４６】
まず、図７（ａ）に示すように、載置アングル部材６上に水切り部材７を載置する。このとき、水切り部材７の横対面部７ｂが載置アングル部材６の横板部６ｂに当接され、水切り部材７の縦対面部７ａが載置アングル部材６の縦板部６ａに当接され、図８に示すように、水切り対向部７ｄが左右に配置されている隣接押出成形セメント板１０１の内板部１１と間隔を隔てて対面する。
【００４７】
次に、図７（ｂ）、図９に示すように、縦対面部７ａの水切り対向部７ｄと、対向している隣接押出成形セメント板１０１の内板部１１との間にシーリング材８ｃを充填する。
【００４８】
シーリング材８ｃは、例えば、水切り対向部７ｄの上端から充填し、図９に示すように、水切り対向部７ｄの下端側から繋げて充填する。また、載置アングル部材６の側端面６ｃと内板部１１の端面１１ａとの間にもシーリング材８ｄを充填し、内板部１１に貼り付けられているガスケット９と繋げておく。
【００４９】
次に、図７（ｃ）に示すように、水切り部材７の縦対面部７ａの屋外側に、縦対面部７ａの上端側に沿ってガスケット９０を貼り付ける。
次に、内板部１１において載置アングル部材６より下に位置する端面１１ａにガスケット９を貼り付ける。内板部１１の端面１１ａに貼り付けたガスケット９は、縦対面部７ａの上端側に貼り付けたガスケット９０の屋外側に設置される為、ガスケット９とガスケット９０とは、最終的にその交点が密着する。
最後に、図７（ｄ）に示すように、水切り部材７上に載置押出成形セメント板１００を載置する。
【００５０】
本実施形態の水切り構造によれば、載置押出成形セメント板１００と載置アングル部材６との間に設けられる水切り部材７は、載置押出成形セメント板１００と水平方向に隣接する隣接押出成形セメント板１０１と屋内側にて対面する水切り対向部７ｄを有しているので、水切り対向部７ｄと隣接押出成形セメント板１０１との間により確実にシーリング材８ｃを介在させることが可能である。
【００５１】
また、載置押出成形セメント板１００の屋内側の面と対向する屋内対向部７ａが、隣接押出成形セメント板１０１の屋内側の面と対向する水切り対向部７ｄを有し、隣接押出成形セメント板１０１の屋内側の面と対向する水切り対向部７ｄと隣接押出成形セメント板１０１の屋内側の面との間にシーリング材８ｃが介在されている。また、水切り部材７が載置されている載置アングル部材６の側端面６ｃと内板部１１の端面１１ａとの間にもシーリング材８ｄが介在されている。このため、水切り部材７上に至った水が屋内対向部７ａと載置押出成形セメント板１００との間から横方向に漏れることを防止することが可能である。このため、水切り部材７上に至った水が屋内側に漏れ難い。このため、屋内側に水がより進入しにくい水切り構造を提供することが可能である。
【００５２】
また、水切り部材７の垂壁部７ｃが、枠体２ｂの上側の外周面２ｄの、屋内外方向において一次止水面Ｓ１と二次止水面Ｓ２との間に位置しているので、載置押出成形セメント板１００の屋内側に進入した水を、枠体２ｂの上側の外周面２ｄに滴らせることが可能である。また、枠体２ｂの上側の外周面２ｄには、一次止水面Ｓ１をなすシーリング材８ａと二次止水面Ｓ２をなすシーリング材８ｂとが屋内外方向に間隔を隔てて設けられているので、枠体２ｂの上側の外周面２ｄに至った水が、屋内側及び屋外側に流れることを防止することが可能である。
【００５３】
また、上側の外周面２ｄの一次止水面Ｓ１をなすシーリング材８ａと、左右の外周面２ｄの一次止水面Ｓ１をなすシーリング材８ａとは繋がっており、上側の外周面２ｄの二次止水面Ｓ２をなすシーリング材８ｂと、左右の外周面２ｄの二次止水面Ｓ２をなすシーリング材８ｂとは繋がっているので、枠体２ｂの上側の外周面２ｄから枠体２ｂの左右の外周面２ｄに繋がったシーリング材８ａ、８ｂにより、枠体２ｂの上面から左右の側面に繋がった一次止水面Ｓ１と二次止水面Ｓ２とが形成される。このため、枠体２ｂの上側の外周面２ｄに至った水を横方向に流して枠体２ｂの側方にて下方に流して排出することが可能である。
【００５４】
以上、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５５】
１  押出成形セメント板（壁部材）、６  載置アングル部材、７  水切り部材、
７ａ  縦対面部（屋内対向部）、７ｂ  横対面部（壁部材載置部）、７ｃ  垂壁部、
７ｄ  水切り対向部、８ａ  一次止水面をなすシーリング材、
８ｂ  枠体と内板部との間で二次止水面をなすシーリング材、
８ｃ  押出成形セメント板と水切り対向部との間で二次止水面をなすシーリング材、
８ｄ  載置アングル部材６の側端面と内板部の端面との間で二次止水面をなすシーリング材、
１００  載置押出成形セメント板、
１０１  隣接押出成形セメント板、
Ｒ  空隙、Ｓ１  一次止水面、Ｓ２  二次止水面、
【図１】
2019203248.tif 000003
【図２】
2019203248.tif 000004
【図３】
2019203248.tif 000005
【図４】
2019203248.tif 000006
【図５】
2019203248.tif 000007
【図６】
2019203248.tif 000008
【図７】
2019203248.tif 000009
【図８】
2019203248.tif 000010
【図９】
2019203248.tif 000011